(57)【特許請求の範囲】
【請求項１】
背景画像と、原稿から取得された読み取り画像と、文字情報から作成された文字画像とを合成した合成画像を、長尺なプリント用紙を副走査方向に搬送しつつ前記プリント用紙を走査露光することで、前記プリント用紙に出力する合成プリント方法であって、
前記背景画像の天地情報、前記読み取り画像の天地情報、および前記文字画像の天地情報が予め設定されており、
前記プリント用紙は、搬送方向に対して上下左右方向が定まっており、さらに、このプリント用紙が貼り付けられる台紙の天方向に応じて、前記上下左右方向のうちいずれか１つの方向が予め設定されており、
前記背景画像、前記読み取り画像、および前記文字画像の各々の天地情報に基づいて、前記背景画像、前記読み取り画像および前記文字画像とを、これら全ての画像の天方向が一致するように合成して、前記合成画像を作成する合成ステップと、
前記合成画像における天方向が、前記プリント用紙の上下左右方向のうち予め設定された前記いずれか１つの方向と一致するように、作成した前記合成画像を、前記プリント用紙に出力するプリント出力ステップとを有することを特徴とする文字と画像の合成プリント方法。
【請求項２】
前記台紙は郵便はがきであり、切手が貼り付けられる位置に応じて天方向が定まっていることを特徴とする請求項１記載の文字と画像の合成プリント方法。
【請求項３】
前記プリント出力ステップに先がけて、前記プリント用紙における画像出力サイズが予め設定されており、
前記プリント出力ステップでは、前記合成画像の大きさが、予め設定されている前記画像出力サイズよりも大きい場合、前記合成画像を縮小して前記所定のプリント用紙に出力することを特徴とする請求項１または２記載の文字と画像の合成方法。
【発明の詳細な説明】
【０００１】
【発明の属する技術分野】
本発明は、年賀状、挨拶状、通知状として用いられるポストカードなどのデジタル文書・画像の合成プリント画像において住所・氏名・自由文などの文字と予め用意された画像などの背景画像とフィルム原稿などから読み取られた画像とを合成したプリント画像を出力する文字と画像の合成プリント方法に関する。
【０００２】
【従来の技術】
従来より、お正月の年賀状や結婚などの通知状などとして、文字と写真画像などとが合成されたプリント画像を年賀はがきや定型はがきなどの台紙上に持つ写真画像付きはがき、いわゆるポストカードが多数用いられている。このようなポストカードは、従来、顧客（ユーザ）のネガティブフィルムやポジティブフィルムを画像マスクを用いて焼き込む前に、住所・氏名・自由文およびその他の定型文などの文字を焼き込む必要があるため、これらの文字を版下原稿として作成した後画像マスクを用いてリスフィルムなどの別のフィルムに焼き込み、また、例えば年賀状であれば、「門松」などの定型画像（テンプレート画像、台紙画像）を画像マスクを用いて背景画像として、焼き込む必要があった。従って、従来のポストカードの作成においては、各件毎に文字用のリスフィルムと、ユーザ画像および定型画像の各フィルムとの合計少なくとも３枚のフィルムが必要であった。この３枚のフィルムを各件毎にセットし、３枚１組にセットされたフィルムを従来のアナログプリンタに装填し、３枚セットされたフィルムによって形成された文字と画像との合成画像を画像マスクを用いて感光材料（ペーパ）に面露光によって直接焼き付けることを所要時間繰り返し、所要枚数、例えば５０枚、１００枚、２００枚、１０００枚等の枚数だけ焼き付けていた。こうして得られた所定枚数のプリント画像を現像後１枚毎に分断し、専用の貼付機を用いて、官製はがきや私製はがき等のはがきや台紙等に貼り付けてポストカードを作製していた。
【０００３】
ところで、住所、氏名等は固有の漢字が用いられることがあるため、類似した漢字でも微妙な違いが要求されることから修正が多くなるが、従来のアナログプリンタでは、文字専用のリスフィルムを各件毎に版下作成、露光、現像を行って作成する必要があるため、修正が大変で、面倒であるという問題があった。また、文字と、ユーザ画像と、定型画像との３枚のフィルムを１組としてセットして合成画像を得ているが、年賀状などは、年末の短期間のうちに多数の件を処理しなければならないため、好まれる台紙画像であれば、台紙画像などの定型画像を多数用意する必要があるし、あるいはいくつかの定型画像を次々に組み換える必要があり、組み換えを誤る恐れが大となるなどのコストアップにつながるという問題があった。また、ユーザ画像の画像窓を色々な形状にするためには、画像マスクを用いて多重焼を行う必要があるが、これを行うのは、極めて大変であるという問題もあった。
【０００４】
一方、近年では、デジタル露光を利用する焼付システム、すなわち、ネガフィルム、リバーサルフィルム等の写真フィルム原稿（以下、フィルム原稿という）に記録された画像情報を光電的に読み取って、読み取った画像をデジタル信号とした後、種々の画像処理を施して記録用の画像情報とし、この画像情報に応じて変調した記録光によって印画紙等の感光材料を走査露光して画像（潜像）を記録し、現像してプリントとするデジタルプリントシステムが提案され、このシステムを具体的に実施するデジタルフォトプリンタの開発が進んでいる。
【０００５】
デジタルプリントシステムでは、複数画像の合成や画像の分割等の編集や文字と画像との編集等のプリント画像の編集、レイアウトや、色／濃度調整、変倍率、輪郭強調等の各種の画像処理も自由に行うことができ、用途に応じて自由に編集および画像処理した仕上りプリントを出力することができる。また、従来の直接露光によるプリントシステムでは、濃度分解能、空間分解能、色／濃度再現性等の点で、フィルム等に記録されている画像濃度情報をすべて再生することはできないが、デジタルフォトプリンタによればフィルムに記録されている画像濃度情報をほぼ１００％再生したプリントが出力可能である。
デジタルフォトプリントシステムやデジタルフォトプリンタは、基本的に、フィルム等の原稿に記録された画像をイメージセンサ等によって光電的に読み取る画像入力装置（スキャナ）、読み取った画像やこの読取画像と定型画像や文字との合成画像を表示する表示装置（ディスプレイ）、住所・氏名・自由文などの文字入力や様々な番号や条件を入力するデータ入力装置を備え、システム全体を制御する制御装置、読取画像を画像処理したり、読取画像と定型画像や住所、氏名等の文字画像を合成し、画像処理する画像処理装置、および画像処理された画像情報に従って変調されたレーザ光などの露光ビームによって感光材料を走査露光して現像処理を施すプリントを得る画像出力装置より構成される。
【０００６】
このようなデジタルプリントシステムによれば、画像処理装置において、各フィルムに撮影された画像、台紙画像（テンプレート画像）などの定型画像およびビットマップ展開された定型文などのデジタル画像データやその画像処理条件などをデジタルフォトプリンタが有するメモリ、例えばＥＥＰＲＯＭやＥＰＲＯＭなどの不揮発性メモリやＨＤ（ハードディスク）などの記憶装置、ＦＤ（フロッピーディスク）やＭＯ（光磁気記録媒体）などの記憶媒体に記憶し、保存しておくことが可能であるので、ポストカード等の作成時に定型画像や定型文を各件毎に作成する必要がなく、またユーザのフィルム原稿からの読取画像とテンプレート画像などの定型画像と住所・氏名・自由文や定型文などの文字画像との合成画像を表示装置に表示するので、修正や訂正を容易かつ正確に行うことができ、一旦合成画像データを作成すればレーザ光等を用いる画像出力装置で所要枚数連続して自動的にプリントを出力できるので、ポストカードの作製を容易かつ正確かつ効率よく行うことができる。
【０００７】
【発明が解決しようとする課題】
ところで、このようなデジタルプリントシステムを用いてポストカードを作製する場合、ユーザが選択した背景画像と、ユーザが提供した原稿から読み取られたユーザ画像と、ユーザの指定した文字とは、各々の天地が一致して合成されていなければ用をなさず、作製し直す必要があるという問題があった。
また、これらの画像と文字とが合成されたプリント画像は、出力後専用貼付機等によって郵便はがき等のカードの裏面に自動的に貼り付けられる。この時、切手等を貼る位置が定っている郵便はがきなどのように天地が定った表面を持つカードなどの台紙への自動貼り付けの際には、国内と外国などではその位置が異なる場合があるが、天地が定った台紙の表面とその裏面の合成プリント画像とは一体として正像とされる位置関係が定められている。このため、出力されるプリント画像と台紙との位置関係が正しく設定されていないと、得られたポストカードなどの合成画像付はがきにおける前記位置関係がずれてしまい、作製し直す必要があるという問題があった。
【０００８】
本発明の目的は、上記従来技術の問題点を解消し、デジタルプリントシステムのデジタルフォトプリンタを用いて文字と画像が合成されたプリント画像を持つポストカードを作製する場合、合成される背景画像と読み取りユーザ画像と文字との天地が一致し、全部が正像に見えるように合成することができ、さらに合成プリント画像の天地とこれが自動貼付される郵便はがきなどの台紙の天地とが、たとえ台紙が縦型であっても、横型であっても、表裏で正像とされる位置関係となるようにプリント画像を出力することができる文字と画像の合成プリント方法を提供するにある。
【０００９】
上記目的を達成するために、本発明は、背景画像と、原稿から取得された読み取り画像と、文字情報から作成された文字画像とを合成した合成画像を、長尺なプリント用紙を副走査方向に搬送しつつ前記プリント用紙を走査露光することで、前記プリント用紙に出力する合成プリント方法であって、前記背景画像の天地情報、前記読み取り画像の天地情報、および前記文字画像の天地情報が予め設定されており、前記プリント用紙は、搬送方向に対して上下左右方向が定まっており、さらに、このプリント用紙が貼り付けられる台紙の天方向に応じて、前記上下左右方向のうちいずれか１つの方向が予め設定されており、前記背景画像、前記読み取り画像、および前記文字画像の各々の天地情報に基づいて、前記背景画像、前記読み取り画像および前記文字画像とを、これら全ての画像の天方向が一致するように合成して、前記合成画像を作成する合成ステップと、前記合成画像における天方向が、前記プリント用紙の上下左右方向のうち予め設定された前記いずれか１つの方向と一致するように、作成した前記合成画像を、前記プリント用紙に出力するプリント出力ステップとを有することを特徴とする文字と画像の合成プリント方法を提供するものである。
【００１０】
ここで、前記台紙は郵便はがきであり、切手が貼り付けられる位置に応じて天方向が定まっていることが好ましい。また、前記プリント出力ステップに先がけて、前記プリント用紙における画像出力サイズが予め設定されており、前記プリント出力ステップでは、前記合成画像の大きさが、予め設定されている前記画像出力サイズよりも大きい場合、前記合成画像を縮小して前記所定のプリント用紙に出力することが好ましい。
【００１１】
【発明の実施の形態】
本発明に係る文字と画像の合成プリント方法を添付の図面に示す好適実施例に基づいて以下に詳細に説明する。
図１は、本発明の文字と画像の合成プリント方法を実施するデジタルプリントシステムの一実施例をブロック図で示す概略図である。
以下の説明においては、本発明の文字と画像の合成プリント方法を行う対象として、顧客の撮影画像と、年賀に因んだ絵柄を持つ背景画像と、年賀に因んだ「賀正」や「謹賀新年」などの定型文字や定型文や顧客の住所・氏名・自由文等の文字とを合成した年賀状などのポストカードを代表例としているが、本発明はこれに限定されるものでなく、対象とする用途や主旨に応じて適宜選択可能なことは勿論である。
【００１２】
図１に示すデジタルプリントシステム１０は、顧客の持ち込んだフィルム原稿の担持画像を光電的に読み取る画像入力装置（以下、スキャナともいう）１２と、スキャナ１２での読み取り条件の設定やこれに基づくスキャナ１２の制御、スキャナ１２で読み取られた画像信号のデジタル画像信号化およびその画像処理、この読取画像と顧客が指定した背景画像と顧客が指定した定型文字や定型文や顧客の住所・氏名・自由文等の文字とのデジタル画像信号としての合成、合成されたデジタル合成画像信号の画像処理、合成処理条件の設定および画像処理条件の自動設定（オートセットアップ）などを行うとともにデジタルプリントシステム１０全体の制御を行う制御装置１４と、制御装置１４で合成処理されたデジタル合成画像信号に基づいて感光材料に画像露光し、現像処理して合成画像を担持するプリントＰを出力する画像出力装置（以下、プリンタともいう）１６と、スキャナ１２で読み取られた原稿画像や制御装置１４で合成処理された合成画像を表示し、プリンタ１６で出力される画像の領域（仕上りプリント領域）を表示する画像表示装置（以下、モニタまたはディスプレイともいう）１８と、予め用意されたポストカードＰＣの目的に応じた背景画像（テンプレートファイル）、背景画像に合成される定型文や入力された顧客の住所・氏名・自由文等の文字のビットマップ展開された文字画像およびスキャナ１２で読み取られた原稿画像などの合成処理される前の各々のデジタル画像信号、または制御装置１４によって処理された、あるいはプリンタ１６で用いられるデジタル合成画像信号、さらにはデジタル画像の合成処理条件や画像処理条件や露光条件や感光材料の処理条件などを記憶する、もしくは数件分の、デジタル合成画像と各々の処理条件、例えばプリント条件や貼り付け条件などを一体化したジョブファイルを１ロットとして数ロット分記憶するサーバーやＨＤなどや、もしくはＭＯ（光磁気記録媒体）あるいは磁気テープやＦＤなどの磁気記録媒体とそのドライバから構成される記憶装置２０と、顧客の住所・氏名・自由文等の入力、ジョブファイルなどを生成するための、顧客による背景画像や定型文などの選択もしくは指定、様々な条件の設定や処理の選択、補正などの情報の入力を行うためのキーボード２２ａやマウス２２ｂなどのデータ入力装置２２と、プリンタ１６によって出力された文字・画像合成プリントを年賀はがきや定型はがきなどの台紙ＣＲＤに貼り付けてポストカードＰＣを作製する貼付機２４とを有する。
【００１３】
スキャナ１２は、フィルム原稿（以下、単にフィルムという）等に撮影された１コマの画像を光電的に読み取る装置で、光源２６と、可変絞り２７と、画像をＲ（赤）、Ｇ（緑）およびＢ（青）の三原色に分解するためのＲ、ＧおよびＢの３枚の色フィルタを有し、回転して任意の色フィルタを光路に作用させる色フィルタ板２８と、フィルムに入射する読取光をフィルムの光軸に垂直な面方向で均一に拡散させる拡散ボックス３０と、フィルムを各コマ毎に順次所定の読取位置Ｚに搬送するフィルムキャリア３２（以下、キャリア３２とする）と、結像レンズユニット３４と、フィルムの１コマの画像を読み取るエリアセンサであるＣＣＤセンサ３６と、アンプ（増幅器）３８とを有する。
【００１４】
このようなスキャナ１２においては、光源２６から射出され、可変絞り２７によって光量調整され、色フィルタ板２８を通過して色調整され、拡散ボックス３０で拡散された読取光が、キャリア３２によって光軸Ｒに対応する読取位置Ｚに位置されたフィルムの１コマの画像に入射し、透過することにより、フィルムに撮影されたこの１コマの画像を担持する投影光が得られる。
また、図示例のデジタルプリントシステム（以下、単にプリントシステムという）１０においては、キャリア３２は、スキャナ１２の本体の所定位置に装着自在に構成される。図示例においては、フィルムの種類やサイズ、スライド等のフィルムの形態、トリミング等の処理等に応じて、スキャナ１２の本体に装着自在な専用のキャリアが用意されており、装着するキャリアを取り替えることにより、従来の１３５サイズや２４０サイズのネガティブフィルム、リバーサルフィルム、スライド等の各種のフィルムや処理に対応して読み取りを行うことができる。
【００１５】
フィルムの投影光は、結像レンズユニット３４によってＣＣＤセンサ３６の受光面に結像され、ＣＣＤセンサ３６によって光電的に読み取られ、その出力信号がアンプ３８で増幅されて、制御装置１４に送られる。
ＣＣＤセンサ３６は、例えば、１３８０×９２０画素のエリアＣＣＤセンサである。また、図示例の装置では、ＣＣＤセンサ３６は、半画素に対応する量だけ画素配列方向に二次元的に移動可能に構成されており、これにより、読取画素数を見掛け上で４倍まで増やすことができる。
【００１６】
スキャナ１２においては、このような画像読取を、色フィルタ板２８の各色フィルタを順次挿入して３回行うことにより、１コマの画像をＲ，ＧおよびＢの３原色に分解して読み取る。
ここで、プリントシステム１０においては、文字合成画像プリントＰを出力するための画像読取（本スキャン）に先立ち、文字と読み取られた画像との合成結果を調整するため、および合成画像、特に読取画像を表示し、その画像処理条件等を決定するために、画像を低解像度で読み取るプレスキャンを行う。従って、ＣＣＤセンサ３６による読み取りは、１コマの画像について少なくとも合計６回行われる。
【００１７】
このようにして、スキャナ１２で読み取られた画像データは、制御装置１４に出力される。
図２に、制御装置１４の一実施例を示すブロック図が示される。
同図に示すように、制御装置１４は、本発明の特徴とする文字と画像とが合成された合成画像データを生成する画像処理部１５の他に、画像処理部１５の制御を始め、スキャナ１２、制御装置１４自体、プリンタ１６および貼付機２４等のプリントシステム１０の制御や管理を行うためのＣＰＵ４０と、プリントシステム１０を作動するのに必要なデータを記憶する、例えば後述するポストカードシステムのジョブファイルを作成するためのメモリ４２を有し、また、合成画像やポストカードシステムのジョブ登録画面や登録されたジョブファイルの一覧や内容や背景画像の種々の情報（テンプレートファイルの内容）を表示するモニタ１８、顧客の住所・氏名・自由文等の文字等やジョブ登録に必要なデータ（項目）を入力するキーボード２２ａ、ジョブファイルやテンプレートファイルにおいて、顧客によって選択された背景画像や定型文などの指定等を行うマウス２２ｂ（またはそれらのコード番号などの指定記号をキーボード２２ａで入力してもよいが）、画像出力装置１６などがＣＰＵ等（ＣＰＵバス）を介して各部分に接続される。
【００１８】
画像処理部１５は、Ａ／Ｄ変換器４３、画像前処理部４４、プレスキャン（フレーム）メモリ４６ａと本スキャン（フレーム）メモリ４６ｂとを含む読取画像メモリ（フレームメモリ）４６、画像加工処理部４８、合成処理部５０、Ｄ／Ａ変換器５１、文字画像データ生成部５２および背景画像（テンプレート画像）メモリ５４を有する。
ここで、Ａ／Ｄ変換器４３は、スキャナ１２から出力されたＲ，ＧおよびＢの各画像データを、それぞれデジタル画像データとする。前処理部４４は、得られたデジタル画像データに、必要に応じてＤＣオフセット補正、暗時補正、Ｌｏｇ変換、シェーディング補正、ネガ／ポジ変換等の各種の変換・補正処理を施すものである。読取画像メモリ（フレームメモリ）４６は、こうして得られた前処理画像信号データを記憶（格納）しておくもので、この前処理画像信号データのうち、プレスキャン画像データはプレスキャンメモリ４６ａに、本スキャン画像データは本スキャンメモリ４６ｂに、それぞれ記憶される。なお、フレームメモリ４６は、制御装置１４内に内蔵されていてもよいが、記憶装置２０の一部をフレームメモリ４６として用いてもよい。
なお、画像前処理部４４で行われるネガ／ポジ変換は、ネガフィルムから読み取られたネガ画像をリバーサルフィルムから読み取られたポジ画像にあるいはポジ画像をネガ画像に変換するものである。
【００１９】
画像加工処理部４８は、得られた画像データの処理条件（画像処理条件）を設定すると共に、設定された画像処理条件に応じて画像データに画像処理を施すものである。
画像加工処理部４８では、まずプレスキャンメモリ４６ａからプレスキャン画像データが読み出され、濃度ヒストグラムの作成や画像特徴量の算出等が行われ、色／階調補正、電子倍率、ダイナミックレンジ処理、シャープネス等の各種の画像処理条件が設定される。
【００２０】
こうして画像処理条件が設定されると、画像加工処理部４８では、設定された画像処理条件に応じて、プレスキャン画像データに、または本スキャン時であれば、本スキャンメモリ４６ｂから読み出された本スキャン画像データに、まず必要に応じて画像の縦横の回転（−９０°または９０°）、または反転（±１８０°）、もしくは任意の角度（±θ）の回転が行われ、続いて画像の色および／または階調の補正、次に設定された電子倍率に応じて画像の拡大／縮小処理（電子変倍）、次いで画像データのダイナミックレンジの圧縮および／または伸張（画像処理による覆い焼き効果等の付与）などが行われ、さらにアンシャープネスマスク等によってシャープネス処理（鮮鋭化処理）が施される。
画像処理部４８によって設定された画像処理条件に応じて処理されたプレスキャン画像は、後段の合成処理部５０で文字や背景画像（テンプレート画像）と合成された後に、合成画像としてＣＲＴ等のモニタ１８に表示されるが、必要に応じて、表示された合成画像中のプレスキャン画像を目視して、オペレータによる検定および色／濃度調整や階調調整等を行い、プレスキャン画像で設定された画像処理条件を補正するようにしてもよい。
【００２１】
一方、文字画像データ生成部５２は、キーボード２２ａからＣＰＵ４０やメモリ４２を介して入力された顧客の住所・氏名・自由文等の文字データをビットマップ展開してビットマップ画像データを生成するものである。
また、背景画像メモリ５４は、プリントシステム１０にポストカードの用途に応じて予め用意されている複数種類の背景画像（テンプレート画像または台紙画像という）のデジタル画像データや、複数種類の定型文字や定型文のビットマップ画像データをテンプレートファイルとして記憶（格納）するもので、これらの背景画像データや定型文字や定型文のビットマップ画像データは、オペレータがモニタ１８に表示されたテンプレートファイルにおいてデータ入力装置２２で指定することにより、ＣＰＵ４０によって背景画像メモリ５４から読み出せるようになっている。なお、フレームメモリ４６や背景画像メモリ５４は、制御装置１４内に内蔵されていてもよいが、記憶装置２０の一部に割り当てられるものであってもよい。
【００２２】
なお、これらの背景画像や定型文字や定型文は、複数種類の内から、ポストカード注文時に顧客が自由に選択できるようになっている。ここで、オペレータによる背景画像や定型文字や定型文の指定は、背景画像メモリ５４に記憶された複数種類の背景画像や定型文字や定型文やその文字フォントなどの項目やそのコード番号などの指定記号をテンプレートファイルとしてモニタ１８に表示し、モニタ１８に表示されたテンプレートファイルの項目や指定番号の中から、顧客が注文時に選択した背景画像や定型文字や定型文などの項目やその指定番号をマウス２２ｂによって指定するようにしてもよいし、もしくは、それらの背景画像や定型文字や定型文などの項目やその指定記号をキーボード２２ａで入力するようにしてもよい。
背景画像メモリ５４には、予め用意されていない背景画像や文字や文やそのフォント等について、例えばフォトショップ(Adobe社製) などのレタッチソフト等を用いて作成し、画像データやビットマップ展開データに変換して、テンプレートファイルとして新たに追加できるようにしておくのが好ましい。
【００２３】
合成処理部５０は、本発明の文字と画像の合成プリント方法を実施する部分であって、画像加工処理部４８から出力される画像データと、文字画像データ生成部５２から出力されるビットマップ文字画像データと、背景画像メモリからＣＰＵ４０を介して読み出される背景画像および文字のビットマップ画像データとを互いに正像となるように合成するものである。合成処理部５０で実施される文字と画像の合成方法については後述する。
なお、合成処理部５０においては、画像加工処理部４８から出力される画像データが、本スキャン画像データである場合には、文字と画像が合成された画像データは、ジョブファイルに従って各件毎にメモリ４２または記憶装置２０に格納され、あるいは直接プリンタ１６に出力される。一方、顧客フィルムの画像をモノクロで連続的に読み取ってモニタ１８に表示するビデオモードにおける画像データ、またはプレスキャン画像データである場合には、モニタ１８の表示方式に応じた解像度（画素密度）および形式の画像データ（デバイス依存画像データ）に変換され、Ｄ／Ａ変換器５１においてデジタル画像データ信号からアナログ画像データ信号に変換されて、モニタ１８に出力される。こうして得られたアナログ画像データ信号に基づいて文字と画像が合成された画像がモニタ１８に表示される。
【００２４】
ＣＰＵ４０は、文字と画像の合成を行う画像処理部１５の制御を始め、スキャナ１２、制御装置１４自体およびプリンタ１６等のプリントシステム１０の制御や管理を登録（設定）されたジョブファイルに従って行うもので、具体的には、ジョブファイルに従って、スキャナ１２での読み取り条件の設定やこれに基づくスキャナ１２の制御、スキャナ１２で読み取られた画像信号のデジタル画像信号化およびその画像処理、この読取画像と顧客が指定した背景画像と顧客が指定した定型文字や定型文や顧客の住所・氏名・自由文等の文字とのデジタル画像信号としての合成、合成されたデジタル合成画像信号の画像処理、合成処理条件の設定および画像処理条件の自動設定（オートセットアップ）、合成画像の露光、現像などのプリント、合成プリント画像の貼り付けなどを制御して、プリントシステム１０全体の制御や管理を行う。
メモリ４２は、プリントシステム１０を作動するのに必要な制御データや合成画像データなどを記憶するためのもので、特に、本発明の文字と画像の合成プリント方法を実施するポストカードシステムを制御するための条件や情報や実施するためのデータ、例えば合成画像データなどを各件毎にジョブファイルとして記憶するためのものであり、数件分のジョブファイルを１ロットとして数ロット分記憶できるようになっているのが好ましい。ＣＰＵ４０は、上述した種々の制御や管理を行う際にメモリ４２、特にその中のジョブファイルを参照する。なお、これらのデータの少なくとも一部を記憶装置２０に記憶させておき、ＣＰＵ４０が、その制御に際し、記憶装置２０を参照するように構成してもよい。
制御装置１４は、基本的に以上のように構成される。
【００２５】
上述したように、制御装置１４で合成処理された文字と画像とのデジタル合成画像データは、プリンタ１６に出力される。
プリンタ１６は、ジョブファイルに登録されたプリント条件に従って、制御装置１４で合成処理されたデジタル合成画像データ信号に基づいて感光材料に画像露光し、現像処理して再生画像を担持するプリントＰを出力するものである。
【００２６】
図３に、プリンタ１６の一実施例の概略図を示す。
同図に示すように、プリンタ１６は、露光制御装置５６、露光部５８および現像部６０を有する。
制御装置１４から出力された合成画像データは、露光制御装置５６に送られ、露光制御装置５６は、合成画像データを、プリンタ１６の画像再現方式に応じた解像度および形式の画像データ（デバイス依存画像データ）、例えばデジタルＲＧＢ画像データ信号に変換した後、得られたデジタルＲＧＢ画像データ信号からアナログＲＧＢ画像データ信号にＤ／Ａ変換して、このアナログＲＧＢ画像データ信号に応じて光ビームを変調するように、画像露光部５８の音響光学変調器（ＡＯＭ）６１Ｒ，６１Ｇ，６１Ｂを駆動する。
【００２７】
露光部５８は、光ビーム走査によって感光材料Ｚを走査露光して、前記画像データの画像を感光材料Ａに記録するもので、感光材料ＡのＲ感光層の露光に対応する光ビームを射出する光源６２Ｒ、以下同様にＧ露光に対応する光源６２Ｇ、およびＢ露光に対応する光源６２Ｂの各光ビームの光源、各光源より射出された光ビームを、それぞれ記録画像に応じて変調するＡＯＭ６１Ｒ、６１Ｇおよび６１Ｂ、光偏向器としてのポリゴンミラー６３、ｆθレンズ６４、感光材料Ａの副走査搬送手段を有する。
【００２８】
光源６２Ｒ，６２Ｇ，６２Ｂより射出され、互いに相異なる角度で進行する各光ビームは、それぞれに対応するＡＯＭ６１Ｒ，６１Ｇ，６１Ｂに入射する。各ＡＯＭ６１Ｒ，６２Ｇ，６２Ｂには、露光制御装置５６より記録画像すなわち制御装置１４から供給された画像データに応じた、Ｒ、ＧおよびＢそれぞれの駆動信号が転送されており、入射した光ビームを記録画像に応じて変調する。
【００２９】
ＡＯＭ６１Ｒ，６２Ｇ，６２Ｂによって変調された各光ビームは、ポリゴンミラー６３の略同一点に入射して反射され、主走査方向（図中矢印ｘ方向）に偏向され、次いでｆθレンズ６４によって所定の走査位置ｚに所定のビーム形状で結像するように調整され、感光材料Ａに入射する。なお、露光部５８には、必要に応じて光ビームの整形手段や面倒れ補正光学系が配置されていてもよい。
【００３０】
一方、感光材料Ａは長尺なものであり、ロール状に巻回されてマガジン化された状態で所定位置に装填されている。
このような感光材料Ａは引き出しローラ（図示省略）で引き出され、走査位置ｚを挟んで配置される副走査手段を構成する搬送ローラ対６５および６６によって、走査位置ｚに保持されつつ主走査方向と直交する副走査方向（図中矢印ｙ方向）に搬送される。
光ビームは主走査方向に偏向されているので、副走査方向に搬送される感光材料Ａは光ビームによって全面を２次元的に走査露光され、感光材料Ａに、制御装置１４から転送された画像データの画像（潜像）が記録される。
【００３１】
露光を終了した感光材料Ａは、次いで搬送ローラ対６７によって現像部６０に搬入され、現像処理が施され、合成画像が再生されたプリントＰとされる。
ここで、例えば感光材料Ａが銀塩感光材料であれば、現像部６０は、発色現像槽６８、漂白定着槽６９、水洗槽７０ａ、７０ｂ、７０ｃおよび７０ｄ、乾燥部およびカッタ（図示省略）等より構成され、感光材料Ａはそれぞれの処理槽において所定の処理を施され、乾燥された後、ロール状に巻回されてプリントＰとして出力され、またはカッタによってプリント１枚に対応する所定長に切断され、プリントＰとして出力される。
プリンタ１６は、基本的に以上のように構成される。
【００３２】
モニタ１８は、図１または図２に示すように、スキャナ１２でプレスキャンによって読み取られ、制御装置１４で画像処理された原稿画像や制御装置１４でこの読取画像と文字とが合成処理された合成画像を表示し、プリンタ１６で再生される画像の領域（仕上りプリント領域）を表示するものである。なお、モニタ１８は、プレスキャン画像を表示するだけでなく、ビデオモードとして顧客フィルムの画像をモノクロで連続的に読み取りモニタ１８に表示することができるのが好ましく、プレスキャン時でもよいが、このビデオモードにおいて、オペレータはモニタ１８を見て、仕上りプリント領域内の画像の位置や画像の範囲（倍率）や合成画像中の画像窓内の顧客画像の位置や画像の範囲（倍率）などを調整・修正できるように構成するのが好ましい。また、本発明においては、通常は、プレスキャン時でも、本スキャン時でもオペレータが合成画像の調整・修正を制御装置１４に指示すると、一旦、ビデオモードに自動的に切り替わり、調整・修正後、再び、プレスキャン（３回）と本スキャン（３回）とを連続して行うことができる。
【００３３】
記憶装置２０は、図１に示すように、制御装置１４内の内蔵メモリであるメモリ４２、フレームメモリ４６、背景画像メモリ５４などの補助メモリやバックアップメモリとして使用されるもので、サーバやＨＤやリムーバブルＨＤなどや、もしくはＭＯ（光磁気記録媒体）あるいは磁気テープやＦＤなどの磁気記録媒体とそのドライバから構成され、予め用意されたポストカードの目的に応じた背景画像、背景画像に合成される定型文や入力された顧客の住所・氏名・自由文等の文字のビットマップ展開された文字画像およびスキャナ１２で読み取られた原稿画像などの合成処理される前の各々のデジタル画像信号、または制御装置１４によって処理された、あるいはプリンタ１６で用いられるデジタル合成画像信号、さらにはデジタル画像の合成処理条件や画像処理条件や露光条件や感光材料の処理条件などの一部もしくは全部を記憶する。制御装置１４内の内蔵メモリの代わりに記憶装置２０を使用するようにしてもよい。
【００３４】
貼付機２４は、ジョブファイルに従って、プリンタ１６によって出力された文字・画像合成プリントＰを年賀はがきや定型はがきなどの天地が定っている台紙ＣＲＤに、自動的に、表裏で互いに正像となる位置関係となるように貼り付け、文字や背景画像と顧客の写真画像とが台紙となるはがき等に表裏で正像となる位置関係として貼り付けられた、いわゆるポストカードＰＣを作製するためのものである。なお、プリンタ１６から出力されるプリントＰがロール状に巻回されたものである場合には、貼り付け前に１枚毎に切断されるのがよい。
【００３５】
本発明に用いられるデジタルプリントシステム１０は、基本的に以上のように構成されるが、以下に、このデジタルプリントシステムにおいて実施される本発明の文字と画像の合成プリント方法を詳細に説明する。
図４は、本発明の文字と画像の合成プリント方法が適用されるデジタルプリントシステム１０におけるポストカード作製システム（以下、ポストカードシステムという）のフローの一実施例を示すフローチャートである。図４に示すポストカードシステムのフロー図は、本発明法を適用してデジタルプリントシステム１０において、文字と画像の合成プリント画像がはがきなどの台紙に貼り付けられた合成プリント画像付カード、いわゆるポストカードを作製するフローを示すものである。
【００３６】
図４に示すポストカードシステムフローにおいて、まず第１に、顧客の注文をこのポストカードシステムに乗せるための仕分け処理工程（Ｆ１）を行う。この仕分け工程では、はじめに、顧客の注文書の情報から、台紙となる▲１▼はがきの種類と、選択された背景（テンプレート）画像を表わす▲２▼カードタイプと、フィルム種および▲３▼トリミングの有無などで分類、仕分けし、１種類のポストカードの注文を１件として所定件数、例えば約２０件を１ロットとしてロット組みを行う。この１ロットを処理の単位として、図４に示す各処理を行う。なお、具体的な仕分け工程の内容については後述する。
【００３７】
次に、データ入力装置２２によってメモリ４２にジョブファイルを作成して、ジョブ登録を行う。このポストカードシステムでは、図４に示すＦ２の画像スキャン処理工程からＦ７の貼り付け処理工程までで行う処理の内容は、このジョブ登録処理において１ロット分各件毎にジョブファイルに登録される。例えば、各件毎に、ロットＮｏ（ロット番号）、件Ｎｏ、注文記号（テンプレート種）、その縦横、はがき種、注文枚数、ユーザ画像のフィルム種、コマＮｏ、プリント倍率等の項目をオペレータが入力して、またはモニタ１８のジョブ登録画面（登録部）で指定して、ジョブファイルを作成する。
【００３８】
ところで、ジョブファイルには、これらの項目、すなわちデジタルプリントシステム１０のポストカードシステム中で共通に必要な情報を格納するジョブセクション（〔ＪＯＢ〕セクション、後述の表１参照）の他、プリント条件を格納するプリントセクション（〔ＰＲＩＮＴ〕セクション、後述の表２参照）、各画像のスキャン条件を格納するスキャンセクション（〔ＳＣＡＮｎ〕セクション、後述の表３参照）、および各文字部分の情報を格納する文字セクション（〔ＣＨＡＲｎ〕セクション、後述の表４参照）などがある。
【００３９】
ジョブ登録部においてジョブファイルのジョブセクションに注文記号（Ｃａｒｄ  ＴｙｐｅおよびＣａｒｄ  ＰＬ）が指定され、登録されると、背景画像メモリ５４のテンプレート属性ファイル（後述する表５参照）から登録された注文記号に応じたテンプレート画像データおよびその属性情報が読み出され、ジョブファイルの各セクション、すなわちジョブセクション、プリントセクション、スキャンセクション、文字セクションなどに転送され、登録される。また、ジョブ登録部においてジョブファイルに登録すべきこの他の情報が指定され登録される。こうして、各件毎にジョブファイルが登録されるが、既登録ジョブファイルの一覧表示、各件毎の内容表示、内容変更およびそれに関連する文字、画像データの抹消も可能である。
【００４０】
この時、本発明においては、注文記号によって指定されたテンプレート画像に応じてテンプレート属性ファイルに定義されているテンプレート画像ファイルの天方向の向きと、ジョブファイルにおいて各スキャン画像毎に登録された、スキャン画像ファイルの画像天方向の向きおよび各ユーザ文字画像ファイルの画像天方向の向きとをすべて合わせる、例えば一致するように予め指定しておく。その結果、この指定によって、後段の画像合成工程Ｆ４において、全画像を互いに正像となるように画像合成部５０によって合成することができる。
【００４１】
さらに、好ましくは、予め、ジョブファイルに登録されるプリント画像の天方向の向きも、テンプレート画像、各スキャン画像および各文字画像の一致した天方向の向きに合わせる、例えば一致させておくのがよい。こうすることにより、後段の貼付工程Ｆ７において、出力されるプリント画像Ｐの天方向の向きをプリント画像Ｐが貼り付けられるはがきなどの台紙ＣＲＤの天方向の向きとを合わせることができるため、プリント画像Ｐの台紙ＣＲＤ上への貼付機２４による自動貼付を正確に行うことができる。
【００４２】
以上のようにして１ロット分の全件のジョブ登録が行われると、仕分け工程Ｆ１が終了する。この後、登録されたジョブファイルに従って当該ロットの各件毎にスキャナ１２による画像スキャン工程Ｆ２と入力装置２２によるユーザ文字入力工程Ｆ３とが行われる。
まず、画像スキャン工程Ｆ２においては、ジョブファイルに従って、ジョブファイルに登録された個数のスキャン画像を、スキャン１２によって、ユーザのネガフィルムまたはリバーサルフィルムもしくは反射原稿から読み取り、制御装置１４の画像処理部１５のフレームメモリ４６に記憶される。
一方、ユーザ文字入力工程Ｆ３においては、ジョブファイルに従って、登録された個数の、顧客の住所、氏名、自由文などがオペレータによってキーボード２２ａなどの入力装置２２を使って入力され、ＰＤＬ（ページ記述言語、Page Description Language ）データとして記述された後、画像処理部１５の文字データ生成部５２においてビットマップ展開され、文字ビットマップデータが生成される。
【００４３】
次に、画像合成工程Ｆ４において、こうして得られた全スキャン画像および全文字画像と、ジョブファイルに登録されたテンプレート画像とが、画像処理部１５の合成処理部５０によってジョブファイルに従って合成される。
図４に、制御装置１４の合成処理部５０において行われるＦ４の画像合成処理工程の一例のフローチャートを示す。
図５に示すように、合成処理部５０には、３原色、例えばＲＧＢのそれぞれについて、顧客によって選択された背景画像（テンプレート画像、ビットマップ画像１）Ｉｔｐおよび定型組込画像（ビットマップ画像２）Ｉｔｐｃならびにマスク画像Ｉｍが、オペレータによる指定（キーボード２２ａまたはマウス２２ｂによる入力）によって、背景画像メモリ５４から読み出されている。また、合成処理部５０には、スキャン画像Ｉｓが、ＲＧＢのそれぞれについて、画像処理部１５のフレームメモリ４６から読み出され、画像加工処理部４８で画像処理された後、入力されている。さらに、合成処理部５０には、オペレータによって（キーボード２２ａから）入力された顧客の住所・氏名・自由文等の文字から文字生成部５２で生成されたビットマップ展開文字画像Ｍｃ（Ｍ1c）がＲＧＢそれぞれについて入力されている。
なお、図５には、上述したＲＧＢ画像データの１色の画像データ、例えばＧ画像データのみが表わされているものとするが、残りのＲ，Ｂの２色についても同様に表わすことができることはいうまでもない。
【００４４】
ここで、テンプレート画像Ｉｔｐは、合成を行うテンプレート座標系において上位のレイヤ（層）に配置され、ポストカードＰＣの目的、図示例では年賀状に応じた絵柄や定型文字（文）、図示例では「賀正」の文字などが予め組み込まれた、はがき（ＣＲＤ）等の台紙のサイズの画像であって、プリンタ１６の出力解像度と同じ解像度のビットマップ画像１である。また、テンプレート画像Ｉｔｐには、その絵柄の中や外に何種類かの絵柄や定型文字（文）、図示例では「あけまして」などの文字のビットマップ画像Ｉｔｐｃを組み込むことができるように構成されている。
【００４５】
なお、テンプレート画像Ｉｔｐにおいては、文字画像や絵柄（マークなども含む）などは、スキャン画像Ｉｓが合成され、そして占有するスキャン画像領域Ａｍｗ（後述するマスク画像Ｉｍの画像窓に相当する）の外部の非スキャン画像領域Ａｍｔに形成されているものであるが、スキャン画像Ｉｓ上に文字画像を合成する場合には、スキャン画像領域Ａｍｗ内の合成される文字画像の領域を特定領域Ａｍｄとして指定することができ、指定された特定領域Ａｍｄ内に文字などの定型組込画像をテンプレート画像Ｉｔｐとして形成しておくことができる。
【００４６】
次に、マスク画像Ｉｍは、テンプレート座標系において中位のレイヤに配置され、スキャン画像Ｉｓが組み込まれる画像窓Ｉｍｗ以外の画像データ（画像加工処理部４８から出力される読取画像データ）をマスクするためのものである。このマスク画像Ｉｍは、図示例では、画像データが各色８ビットデータ（計２４ビットフルカラー）で表わされる時、画像窓Ａｍｗの領域内では、マスク値が、ＲＧＢのいずれの画像についても２５５に設定され、下位レイヤに配置されるスキャン画像Ｉｓを優先し、画像窓Ａｍｗの領域外の非スキャン画像領域Ａｍｔでは、マスク値がＲＧＢのいずれの画像についても、０に設定され、上位レイヤに配置されるテンプレート画像Ｉｔｐを優先するように構成される。
【００４７】
スキャン画像Ｉｓは、テンプレート座標系において下位のレイヤに配置され、顧客が合成を希望する画像またはその一部の領域の画像であって、テンプレート画像Ｉｔｐと合成される画像窓Ａｍｗに一致するように読み取られており、画像窓Ａｍｗ以外に読み取り画像があっても合成されず、ポストカードＰＣには再現されない。
ビットマップ文字画像Ｍｃは、顧客の住所・氏名・その他の自由文などのベクトルフォント文字をビットマップ展開したものであるが、プリンタ１６が低解像度であるため、ビットマップ文字画像Ｍｃには文字画像データ生成部５２でアンチエリアス処理が施される。また、ビットマップ文字画像Ｍｃには、背景画像の色味に対する調整処理が施されるのが好ましい。
【００４８】
図５に示すように、以上で説明したような定型組込画像（ビットマップ画像２）Ｉｔｐｃが合成すべく用意され、定型画像が指定された特定領域Ａｍｄ内に用意されているテンプレ−ト画像（ビットマップ画像１）Ｉｔｐと、スキャン画像Ｉｓの画像窓Ａｍｗを持つマスク画像ＩｍとがＲＧＢ３色についてそれぞれ準備されると、各色について、テンプレ−ト画像Ｉｔｐを最上位レイヤとし、スキャン画像Ｉｓを最下位レイヤとし、その間の中位レイヤにマスク画像Ｉｍを挟んでマスクし、定型組込画像Ｉｔｐｃも含めてテンプレ−ト画像Ｉｔｐとスキャン画像Ｉｓとがマスク合成処理され、中間画像Ｉｉが作成される。この時、テンプレート画像Ｉｔｐとスキャン画像Ｉｓとは、ジョブファイルに登録されたそれぞれの天方向の向きが一致し、互いに正像となるように合成される。従って、中間画像Ｉｉの天方向の向きはテンプレート画像Ｉｔｐおよびスキャン画像Ｉｓの天方向の向きと一致する。なお、スキャン画像Ｉｓをスキャナ１２で読み取る場合に、スキャン画像Ｉｓの読み取り方向とジョブファイルに登録された天方向の向きとが異なる場合には、登録された天方向の向きに応じてスキャン画像は自動回転され、テンプレート画像Ｉｔｐに対して互いに正像となるように合成される。
【００４９】
こうして得られた中間画像Ｉｉ（ＩＲ，ＩＧ，ＩＢ）に対して、予めアンチエリアス処理されたビットマップ展開文字画像Ｍｃ、例えば図示例では「神奈川県」を馴染ませ合成するとともに、特定領域Ａｍｄの定型画像、例えば図示例では「賀正」なる文字画像をスキャン画像Ｉｓに合成して、必要な文字と画像が合成されたプリント画像Ｉｐの３色の画像データを得ることができる。この時、文字画像Ｍｃは、中間画像Ｉｉ（テンプレート画像Ｉｔｐ＋スキャン画像Ｉｓ）とジョブファイルに登録された互いの天方向の向きが一致し、互いに正像となるように自動回転された後、合成される。
こうして、テンプレート画像Ｉｔｐとスキャン画像Ｉｓと文字画像Ｍｃとが合成されたプリント画像Ｐを得ることができるが、後述するようにこの合成プリント画像Ｐはモニタ１８に表示されるので、モニタ１８の表示画面で確認することにより、文字画像Ｍｃやスキャン画像Ｉｓなどをその天方向の向きに合わせて９０°単位で、もしくは任意の角度θ単位で回転させることもできるのが好ましく、これらの画像の配置を微調整することもできるのがよい。
【００５０】
次に、文字画像データ生成部５２および合成処理部５０で行われる、中間画像Ｉｉへの文字画像Ｍ1cの合成処理までの文字加工処理の一実施例のフローについて説明する。ここで、文字や線画が、黒文字の場合を図６に、白抜き文字の場合を図７に示す。
文字が、黒文字の場合には図６に示されるように、白文字の場合には図７に示されるように、まず、ベクトルフォント文字にアンチエリアス処理が施される。アンチエリアス処理は、プリンタ１６の解像度が低解像度、例えば３００ｄｐｉであり、そのまま出力すると目立つ文字のエッジにジャギー（ギザギザ）を無くし、プリント画像Ｐ中の文字が滑らかで自然な文字となるように、文字の外周部分、すなわち背景画像との境界領域の濃度変化を滑らかにする処理である。
ここでは、アンチエリアス処理によって、ベクトルフォント文字をビットマップ展開する際、目標（出力）解像度のｎ倍の画素数で、例えば８ビット画像（階調８ｂｉｔ／画素）を生成し、その画像をｎ×ｎ画素で平均化することで、文字の境界領域に中間濃度の画素を得、すなわちグレースケールの画像を得ることができる。こうして、ｎ×ｎ、例えば６×６アンチエリアス処理を文字に施し、ビットマップ文字画像（グレースケール）を得ることができる。
【００５１】
次に、図６および図７に示すように、こうして得られた，ｎ×ｎ、例えば６×６アンチエリアス処理が施されたビットマップ文字画像（グレースケール）に、さらにアンチエリアス処理２を施す。このアンチエリアス処理２は、ｎ×ｎアンチエリアス処理されたグレースケール文字画像の文字の見えの太さを調整する処理である。例えば、文字画像の外周の境界領域の中間濃度の変化を文字画像の外側で大きく、すなわち中間濃度の画素の値を文字の濃度（例えば、黒文字では画像データ０）に近づけると、ｎ×ｎアンチエリアス処理で見えなくしたジャギーが再び出てしまうし、逆に文字画像の内側で大きくし、すなわち中間濃度の画素の値を背景画像の濃度（例えば、白地の黒文字では画像データ２５５）に近づけると、文字が細くなってしまう。このため、このアンチエリアス処理２で文字画像の太さや、エッジ具合を調整して、文字の見えを調整するのが好ましい。ここでは、このアンチエリアス処理２を変換Ｆと呼ぶ。
ここで、ｎ×ｎアンチエリアス処理されたグレースケール文字画像の任意の点Ｐ0 の濃度（Ｍ0ij ）をＭ0 とすると、変換Ｆが施されたグレースケール文字画像の任意の点Ｐ0 の濃度をＭは、例えば図８（ａ）（黒文字の場合）および図８（ｂ）（白抜き文字の場合）の左上のグラフ（両者とも同じ）によって求めることができる。なお、この変換Ｆは、関数式ではなく、テーブル化した０〜２５５の２５６段のルックアップテーブル（ＬＵＴ）変換とするのが好ましい。
【００５２】
図６および図７に示すように、このようにして変換Ｆによって文字の太さが調整されたグレースケール文字画像の任意の点（画素）Ｐ0 の濃度Ｍを濃度変換して、グレーバランスを考慮したＲＧＢ３色の文字画像データＭ1r，Ｍ1g，Ｍ1bにする。この濃度変換は、ここでは変換Ｇと呼ばれ、文字画像データの上限値Ｍcmaxおよび／または下限値Ｍcmin（ここで c＝r,g,b ）で正規化する処理であって、いわば文字画像データのダイナミックレンジを制限する処理である。
【００５３】
ところで、文字画像を黒文字で書く場合、その画像データ（Ｍr ，Ｍg ，Ｍb ）を（０，０，０）とすればよいが、これだと露光するためのレーザの光強度が強すぎて飽和し、にじみが生じたりするし、黒文字を合成する背景画像の色によっては黒文字に色味が付き、その色味が赤味がかると文字の見えが悪いため嫌われることは前述した通りである。このため、この濃度変換Ｇにおいて、黒文字の見えを良くするため、例えば赤味より青味がかった黒文字の方が好まれるため、真黒を表す画像データ（Ｍrmin，Ｍgmin，Ｍbmin）を（１５，１０，１０）に設定できるように構成している。なお、この黒文字の色味の見えの場合は、下限値Ｍcminの調整であるが、白抜き文字の色味の見えの場合には、上限値Ｍcmaxの調整を行うのが好ましい。このため、本発明おいては、黒文字で下限値Ｍcminを、白抜き文字で上限値Ｍcmaxを調整するように構成するのが好ましいが、いずれの文字の場合にも上限値Ｍcmaxおよび下限値Ｍcminの両方を調整できるように構成しておくのが好ましい。
一方、文字画像が黒文字の場合、この文字画像と合成される背景画像の画像データの色味も黒文字の見えに影響を与えるので、背景画像の画像データの上限値Ｍcmaxまたは下限値Ｍcmin、もしくはその両方を調整できるように構成しておくのが好ましい。
【００５４】
このように濃度変換Ｇにおいては、ユーザが、文字画像データのＲ，Ｇ，Ｂの各色の文字濃度域、従って各色の上限値および下限値Ｍrmax，Ｍrmin，Ｍgmax，Ｍgmin，Ｍbmax，Ｍbminを、背景画像の色味（画像データの色バランス）に応じて設定することができる。なお、黒文字の場合には、ユーザは、背景画像データのＲ，Ｇ，Ｂの各色の文字濃度域、従って各色の上限値および下限値Ｉrmax，Ｉrmin，Ｉgmax，Ｉgmin，Ｉbmax，Ｉbminも設定することもできる。
なお、ここで変換Ｇは、例えば図８（ａ）（黒文字の場合）および図８（ｂ）（白抜き文字の場合）の右上のグラフ（両者とも同じ）で表すことができる。
【００５５】
次に、こうして変換Ｇを行った後に得られた文字画像（濃度Ｍ1r，Ｍ1g，Ｍ1b）と、背景画像（黒文字の場合には濃度Ｉ1r，Ｉ1g，Ｉ1b、白抜き文字の場合には濃度Ｉr ，Ｉg ，Ｉb ）とをそのまま合成すると、文字画像にはアンチエリアス処理が施されているので、背景画像に色が付いていると、その色によっては、例えば、黒文字の場合には比較的高濃度の背景色画像、白抜き文字の場合には比較的低濃度の背景色画像であると、アンチエリアス処理による文字画像の外周部分の中間濃度画素部分が点状に背景画像から浮き上がって、背景画像に馴染まなくなってしまう。このため、本発明においては、図６および図７に示すように、アンチエリアス処理された文字画像の外周部分の中間濃度画素部分を背景画像に馴染ませて合成する処理を行い、その処理を馴染ませ合成処理という。こうして文字と画像との合成画像（ＲＧＢ）を得ることができる。
【００５６】
黒文字の場合、色（文字）バランスが調整された文字画像（濃度Ｍ1r，Ｍ1g，Ｍ1b）と、色バランスが調整された背景画像（濃度Ｉ1r，Ｉ1g，Ｉ1b）との馴染ませ合成処理を変換Ｈとすると、例えば図８（ａ）の右下のグラフで表される変換Ｈによって馴染ませ合成処理された合成画像Ｄｃ（Ｄｒ，Ｄｇ，Ｄｂ）を得ることができる。
一方、白抜き文字の場合、色（文字）バランスが調整された文字画像（濃度Ｍ1r，Ｍ1g，Ｍ1b）と、背景画像（濃度Ｉr ，Ｉg ，Ｉb ）との馴染ませ合成処理を変換Ｈ’とすると、図８（ｂ）の右下のグラフで表される変換Ｈ’によって馴染ませ合成処理された合成画像Ｄｃ（Ｄｒ，Ｄｇ，Ｄｂ）を得ることができる。このようにして、図６または図７に示すように、ベクトルフォント文字から生成された文字画像Ｍｃを背景画像Ｉｃに合成処理することができ、馴染ませ合成処理された合成画像Ｄｃを得ることができる。
【００５７】
一方、特定領域Ａｍｄの定型画像、ここでは文字「賀正」の画像（を構成する画素）は、合成中間画像Ｉｉ内のスキャン画像Ｉｓに合成される。この特定領域における定型画像の合成は、定型画像が上述したアンチエリアス処理された黒文字や白抜き文字である場合には、上述した文字と画像の合成方法によって合成すればよいが、合成に用いられる定型画像が、ロゴマーク、イラスト、非アンチエリアス文字などである場合には、背景となるスキャン画像に単純に乗せる処理を行う。このような単純のせ処理について説明する。
この単純のせ処理は、テンプレート座標系の特定領域Ａｍｄに指定された画素について、テンプレート画像（ビットマップ画像１）ＩｔｐのＲＧＢ画像データが、例えば（２５５、２５５、２５５）であれば、スキャン画像Ｉｓを採用し、（２５５、２５５、２５５）以外であれば、テンプレート画像（ビットマップ画像１）Ｉｔｐをそのまま採用する処理である。このようにして、指定された特定領域Ａｍｄ内の定型画像をスキャン画像Ｉｓに単純に乗せて合成することができる。
【００５８】
以上のようにして、図５に示されるように、合成中間画像Ｉｉのテンプレート画像Ｉｔｐの領域にビットマップ文字画像Ｍｃ、図示例では「神奈川県」が馴染ませ合成処理され、指定された特定領域Ａｍｄの定型画像、図示例では文字「賀正」が白抜き文字として単純に組み込まれたプリント画像Ｐを得ることができる合成画像データを合成処理部５０において作成することができる。こうして得られた合成画像データは、文字を合成する背景画像の色味により、文字色の見えが影響されず、テンプレート画像（背景画像）、スキャン画像および文字画像が、ジョブファイルに登録された各々の天方向の向きが一致するように、必要があればいずれかが自動回転されて合成されているので、互いに正像となるように合成された合成プリント画像の画像データである。
【００５９】
このようにして、文字と画像とがその天方向が一致し、互いに正像となるように合成された画像データが得られるが、このような合成処理部５０による合成処理は、ＣＲＴディスプレイ１８に表示するために、まず、スキャナ１２による顧客画像の、ビデオモードでの連続読み取り画像データ、またはプレスキャン画像データに対して行われる。これらのビデオモード画像データ、またはプレスキャン画像データと文字および台紙画像とが合成された合成画像データが、合成処理部５０からＤ／Ａ変換器５１を経てＣＲＴディスプレイ１８に表示される。この表示合成画像をオペレータが合成された文字および顧客画像の合成状態を目で確認して、互いの画像の天方向が一致し、互いに正像となっており、その配置位置や組み込みサイズなどが正確であれば、その旨の入力をすると、デジタルプリントシステム１０は、スキャナ１２によって顧客画像のプレスキャンおよび本スキャン、またはプレスキャン後であれば直ちに本スキャンを行って得られた画像データに、制御装置１４において、前述したような画像前処理、画像加工処理を行った後、合成処理部５０において上述した文字と画像の合成処理を行う。こうして得られたプリント画像データは、文字、顧客画像および背景画像とが互いの天方向が一致し、互いに正像となるように合成された文字も画像も綺麗かつ正確な合成画像データである。
【００６０】
一方、ディスプレイ１８に表示された合成プリント画像を修正、特にその位置やサイズ（倍率）を修正する場合には、このデジタルプリントシステムでは、特にビデオモードでは、合成画像はほぼリアルタイムでディスプレイ１８に表示されるので、ディスプレイ１８の表示合成画像を見ながら、スキャナ１２のキャリアによって顧客画像であるフィルム原稿や反射原稿の位置を調整し、特に、スキャン画像の天方向の向きが一致しない場合には正像となるように回転し、あるいは交換し、または結像レンズユニット３４によってサイズや倍率を調整することにより行うことができる。また、表示合成画像の文字を修正する場合には、キーボード２２ａやマウス２２ｂによって正確な文字を入力し、あるいはジョブファイルに登録された天方向の向きを正しく変更し、正しい文字が正しい向きに合成された合成画像をディスプレイ１８に表示することができる。また、表示合成画像のテンプレート画像や組込定型画像を修正する場合にも、キーボード２２ａやマウス２２ｂによって正確な画像をその番号や符号を入力してまたは指定してジョブファイルに登録し正しいテンプレート画像が合成された合成画像をディスプレイ１８に表示することができる。こうして得られたプリント画像データは、文字、顧客画像および背景画像とが互いの天方向が一致し、互いに正像となるように合成された文字も画像も綺麗かつ正確な合成画像データであるのは勿論、文字や画像やその天方向の向きに誤りやずれなどが全く無い画像であるといえる。
【００６１】
こうして１件の合成プリント画像データが得られると、得られた合成画像データは、合成処理部５０から直接プリンタ１６に送り、プリント画像Ｐを出力してもよいが、ここではＣＰＵ４０によってメモリ４２内に記憶される。このようにして、各件毎に所定件数の合成画像データが１ロット分だけメモリ４２内に格納される。こうして、画像合成処理工程Ｆ４が終了する。この後、次のロットの合成画像データの生成作業を行ってもよいが、ここでは、続いて、プリント処理工程Ｆ５およびペーパ現像工程Ｆ６を行う。
【００６２】
プリント処理工程Ｆ５においては、制御装置１４のＣＰＵ４０によってメモリ４２から１ロットの各件の合成画像データをジョブファイルに登録された順序で、プリンタ１６に送信し、送信された合成プリント画像データに従って、露光制御装置５６によって制御された露光部５８によって各件毎に登録された所要枚数分の露光を行ってロール状感光材料に所要数の合成プリント画像が潜像として記録されたプリントを出力する。この時、ロール状感光材料に露光されるプリント画像の天方向の向きは、ジョブファイルに登録されるが、貼付機２４においてプリント画像Ｐが貼り付けられるはがきＣＲＤの天方向に応じて正像とされる方向の向きと一致させておくのが好ましい。こうすることにより、貼付機２４による貼付作業を正確かつ自動的に行うことができ、貼付に際し、オペレータが１枚１枚プリント画像Ｐの天方向とはがきＣＲＤの天方向とを確認する必要をなくすことができ、人手による作業を低減することができる。
続いて、１ロット分または数ロット分の合成プリント画像の潜像が形成されたロール状感光材料（ペーパ）は、現像部６０においてロールのままペーパ現像処理され、プリント画像Ｐが顕像として形成された所定量の現像済感光材料がロール状に巻き取られる。この後、現像後のロール状感光材料の検査が行われる。
【００６３】
こうして少なくとも１ロット分の各件の所要数のプリント画像Ｐが形成されたロール状感光材料は、次の貼り付け処理工程Ｆ７において、予めジョブファイルに登録された各件毎にユーザの選択した、または用意したはがきＣＲＤとともに、貼付機２４にセットされ各プリント画像Ｐ毎に切断され、各件毎にはがきＣＲＤへのプリント画像Ｐの貼り付け処理が行われる。この時、セットされるロール状のプリント画像Ｐの天方向の向きが、セットされるはがきＣＲＤの天方向の向きに応じて正像とされる向きになっていると、貼付機２４による貼り付け作業を１ロット分もしくは数ロット分に亘って自動化することもできる。
こうして得られたポストカードＰＣは、各ロットの各件毎に分類され、顧客の注文書と照合され、枚数等の検査が行われた後、注文袋（ＤＰ袋）に収納される。
本発明の文字と画像の合成プリント方法は、基本的に以上のように構成される。
【００６４】
本発明の文字と画像の合成プリント方法を適用する、図４に示すポストカードシステムのフローの各処理セクションの機能仕様の具体例を以下に示す。
【００６５】
Ｆ１．仕分け処理
（ｉ）仕分けおよびロット組み
▲１▼はがきの種類、背景画像となるテンプレートの種類を示すカードタイプとフィルムの対応チェック。
文字チェック、必要に応じ顧客に問い合わせる。
▲２▼カードタイプ毎・トリミングの有無で分類。
１ロット内で、キャリア交換が発生しないよう、フィルム種・トリミング有無を合わせる。
▲３▼入荷したものから、上記ルールで、およそ２０件の注文袋（ＤＰ袋）を１ロットとし、ロットカードを付け、束にする。ここで、例えば２０８．６ｍ（＝１４９ｍｍ×７０枚×２０）＜２８０ｍ（＝ペーパ巻き長）
ロットカードには、各工程の作業チェック欄があり、最終的には、カラーペーパ（ＣＬＰ）にプリントされたロット区切りカードと照合される。
ＤＰ袋、フィルム、注文書にチェックテープを貼り付ける。
▲４▼特殊なケース
以下の特殊ケースは、件Ｎｏを別にして（同じＤＰ袋に２つチェックテープを貼る）、次項のジョブ登録をすれば可能ではあるが、工程が複雑になるので、各件毎に分類して行うのがよい。
Ａ  同一ネガ・複数文字    Ｂ  同一ネガ・複数タイプ
Ｃ  複数ネガ・同一文字    Ｄ  複数ネガ／複数タイプ・同一文字
【００６６】
（ii）ジョブ登録
▲１▼ジョブファイルの登録
件単位で以下の項目を入力し、ジョブファイルに設定する。
(1)ロットＮｏ、(2)件Ｎｏ、(3)店コード、(4)袋コード、(5)注文記号、(6)縦横指定、(7)はがき指定、(8)注文枚数、(9)フィルムの種類、(10) コマＮｏ、  (11) プリント倍率（(9)〜(11) は画像数分）
等を指定し、ジョブファイルを各件毎に生成する。
ジョブファイルの内容は、データ定義の項（表１〜表５）を参照する。
なお、(5)注文記号に(6)フィルム縦横指定が含まれているＡタイプの場合には、(5)注文記号から縦横指定を除いてＣａｒｄ  Ｔｙｐｅ（カードタイプ）とし、縦横指定をＣａｒｄ  ＰＬに行えばよい。
タイプ      注文記号    フィルム縦横指定    Card Type   Card PL 
Ａタイプ     XXXXXXY        な  し           XXXXXX       Ｙ
Ｂタイプ     XXXXXX           Ｙ             XXXXXX       Ｙ
ここでＹはフィルム縦横指定を表わし、Ｔは縦、Ｙは横を表わす（表１参照）。
・テンプレート属性定義に、PrintMag (プリント倍率) が指定されている場合のみ、ジョイファイルのスキャン画像条件にPrintMagとして指定する。また、この値は、ジョブ登録画面で変更が可能である。
【００６７】
▲２▼既に登録されたジョブファイルの一覧表示、件毎の内容表示が可能である。また、既に登録されたジョブファイルの内容変更が可能である。
▲３▼既に登録されたジョブファイルとそれに関連する文字、画像データを抹消できる。抹消対象は、一括か、選択指定かが可能である。
ステータスファイルを見て、 PrintStatus＝0 の時は、ユーザに消去させても良いが、確認画面を出すのがよい。
▲４▼ジョブ登録時に、ＸＸＸＸＸＸ. ＳＴＳ、ジョブのステータスファイルを生成する。中身は以下の通りである。
0003758803.tif 000002
【００６８】
(iii) メディア
▲１▼メディアは、予め、一日に処理するロット数分用意し、ロットＮｏを記載しておく。１システム当たり、ピーク日で２００件であるので、１０枚強用意しておけば良い。なお、場内での直し対応だけを考えれば、日をまたがるケースを考慮して、約２０枚を用意すれば十分である。顧客からの直しの対応も考えると、メディア枚数が多くなるので、必要に応じて枚数を決めればよい。
▲２▼オンラインのサーバ構成の場合は、画像用ディスクは、 2日保存を基本とすると、６ＧＢ（＝（１５ＭＢ／１件）×４００件）必要である。
【００６９】
Ｆ２．画像スキャン
（ｉ）操作イメージ
オペレーションベース画面で外部出力のポストカード作業を選択する。必要があればロットの先頭でキャリアを交換する。トリミングが必要な場合は、トリミングキャリアをセットし、画面でトリミングモードを選択する。
（ii）ネガセット
注文袋（ＤＰ袋）からネガを取り出し、キャリアにセットする。
(iii) 出力ファイルの指定
▲１▼自動外部出力 (仮名) のモードで、
・ジョブ処理画面で、カレントディレクトリィ領域（ＤＩＲ）内のジョブファイルをＡＳＣＩＩ昇順で一覧を表示することができる。
・ユーザ操作により、対象を複数選択可能。最初は、ＤＩＲの全ジョブファイルが選択されている。選択したものだけ(Clic,Shift ＋Clic,Ctrl ＋Clicの選択方式のサポート) で指定可能である。
【００７０】
・プリント作業画面には、以下を表示する。なお、表示内容は、ジョブファイルに従う。
ロットＮｏ：ロットＮｏを表示する。
件Ｎｏ：カレントの件Ｎｏを表示する。
カードタイプ名＋縦横指定を表示する。
サイズ：スキャンサイズを表示する（主×幅ｍｍ）。
出力ファイル名：出力ファイル名を表示する。
画像Ｎｏ、プリント倍率、コマＮｏ、フィルムタイプ、画像の天方向指定を表示する。
・上記表示を見て、倍率変更、コマ移動、画像の回転指定を行う。 (オペレータは、この天方向指定と表示画像の天方向の向きが一致するように回転操作 (画像の１８０度回転指示か、トリミングキャリアの回転) を行う。
・プリント作業画面のフィルムドライブキーは、マニュアルまたはトリミングの表示になる。
・プリント指示完了で、次エントリーを処理する。画像をファイルにセーブするときは、画像の天方向指定基準に、ジョブファイルに指定された画像のデータの天方向が一致するようにセーブする。
・新写真システム（ＡＰＳ）の場合、フロント文字はスキャン画像に合成されない。
・既に同一ファイル名のビットマップ（ＢＭＰ）画像があれば、スキャン動作により上書きされる。
【００７１】
Ｆ３．文字入力
（ｉ）住所、氏名の入力
▲１▼メディア内のジョブファイルを選択する。ジョブファイルよりロットＮｏ、件Ｎｏ、カードタイプ、ネガ縦横指定、文字Ｎｏを読み取る。
専用文字入力機（ＷＡＶＥ（フジカラー販売社製）は、カードタイプ＋縦横指定＋文字Ｎｏで以下を特定する。
○文字エリアタイプ→「住所氏名」「自由文」、「タイトル」等々。
○文字エリアサイズ
これらは、カードタイプのデザインとＷＡＶＥの機能を事前に合わせておく。
▲２▼現在のＷＡＶＥ同様の操作で、住所、氏名を入力する。
▲３▼入力された情報をポストスクリプト形式に変換（ＥＰＳ）する。ジョブファイルに指定されたファイル名にポストスクリプトデータを出力する。
▲４▼メディア内のジョブファイルが無くなるまで上記を繰り返す。
この文字入力工程で注文書の不備が見つかることが多く、この場合は、ロット単位で前工程に戻す。ただし、ロットを流すことを優先する場合は、ジョブ登録画面で、ジョブを削除することもできる。
（ii）タイトル文、自由文の入力
ＷＡＶＥで対応できる範囲は対応し、対応不可能なものは、Ａｄｏｂｅ社のＰｈｏｔｏｓｈｏｐを利用するか、外部作成を利用する。
【００７２】
Ｆ３２．ビットマップの生成
（ｉ）ビットマップの生成
〔ＷＡＶＥの場合〕
▲１▼ポストスクリプト（ＰＳ；ＰｏｓｔＳｃｒｉｐｔ）データをＰＳ（ポストスクリプト）−ＲＩＰ（ラスタイメージプロセッサ；Ｒａｓｔｅｒ  Ｉｍａｇｅ  Ｐｒｏｃｅｓｓｏｒ）により、６×６アンチエリアス処理を行いファイルに落とす（６×６で加算平均して、輪郭部に中間調を生成する。フォーマットは、ＴＩＦＦ形式である) 。
データサイズは、８ビット／画素である。テンプレート (後) 画像に、文字データ部を載せることになるので、文字部以外は、透明としたい。そこで、０×ＦＦを透明として扱う。通常文字部は、黒を値０で表す。
上記で生成されたビットマップのデータ量は、最大で、カードの半面が住所氏名、自由文とすると、約１．２ＭＢ／件である。
【００７３】
〔他の処理系の場合〕
基本的に方式は、上記と同じである。TrueTypeフォント（Ａｐｐｅｌｅ社）を使用する場合は、生成するポイントをｎ倍し、上記と同じｎ×ｎ平均化処理を行う。
なお、この他、以下のような文字入力課題に対応するのが好ましい。
・毛筆、楷書体などのフォント対応
・外字作成ユーティリティ
・文字入力の自由度アップ、▲１▼領域外への文字入れ、▲２▼既製文組み合わせ、▲３▼既製文の一部、全文消去
・文字、ロゴへの色付け→ＤＩＣの色番号指定
【００７４】
Ｆ４．画像合成
（ｉ）テンプレートに文字および画像データを合成する。
・テンプレートは、以下により構成される。
▲１▼プリントサイズを基本としたレイアウト座標系に対し、（ＷＡＶＥ入力した) 文字ビットマップデータとスキャン画像データの、配置位置、大きさ情報、上下関係、回転指示情報より成る。
▲２▼単一または複数のビットマップ画像 (イラスト、ロゴなど任意)
▲３▼（ＷＡＶＥ入力した) 文字ビットマップを背景に載せる場合に、白抜きか、黒文字かの指定が可能 (文字色の指定が可能) である。
▲４▼テンプレートに指定された文字 (例えば既製挨拶文) やイラストなどは、特定領域指定を行い、スキャン画像の上に載せることが可能、このとき、黒文字、白抜き文字でのせるか、そのまま画素値をのせるかの指定が可能である。
▲５▼スキャン画像マスクデータ (配置された画像をマスクする) 。
矩形領域、ラウンドコーナ、ぼかし合成など。
・ビットマップは、PhotoShop など別ツールで作成する。
【００７５】
Ａ．合成イメージの表示、編集機能
・テンプレート定義に基づき、文字、画像の合成イメージを表示する。
・マスク画像の扱いは、以下の通りである。
最上位レイヤーの画素値とスキャン画像で透かし合成処理を行い中間画像を得る。マスク画像の値は、０〜２５５であり、マスク値をＡ、テンプレートデータをＢｒ，Ｂｇ，Ｂｂとし、スキャン画像デ−タをＣｒ，Ｃｇ，Ｃｂとする時、中間画像Ｒ，Ｇ，Ｂは下記式によって求めることができる。
Ｒ＝（Ｃｒ−Ｂｒ）×Ａ／２５５＋Ｂｒ
Ｇ＝（Ｃｇ−Ｂｇ）×Ａ／２５５＋Ｂｇ
Ｂ＝（Ｃｂ−Ｂｂ）×Ａ／２５５＋Ｂｂ
・（ＷＡＶＥ入力した) 文字ビットマップや、テンプレートの文字、イラスト、が画像に乗る場合は、画像に馴染ませる処理を行う。また、文字を乗せる場合、グレーコントロールを行う。
【００７６】
・画像をテンプレートに合成する場合、画像と画像はめ込み領域センターを合わせ、ジョブファイルの画像天方向情報より、自動的に回転合成する (プリント画像の天方向とは、はめ込み画像の天方向が一致しなければならない) 。
・表示を見て、文字、画像等の配置を微調整可能。文字、画像のビットマップはテンプレートの該当領域より大きい場合があり、この場合は、回転後、左上合わせで合成する。画像の９０度単位の回転機能やθ回転機能を持つ。
・部品レベルの修正は、前工程に戻し修正する。
・表示を確認し、ＯＫの場合、最終プリント画像を自動合成する。
・表示画像と、プリント画像の解像度差によるレイアウトミスを無くすため、ズーム表示機能 (スキャン画像５０％〜２００％。合成画像１０％〜１０００％）を持つ。
・表示は、２４ビット (フルカラー対) ／画素に対応する。ＣＲＴは、８００×６００画素を標準とする。
【００７７】
Ｂ．ステータスファイルのアップデート
合成部でプリント用ＢＭＰを正常作成したら、EditStatus＝１に変更する。合成で不具合が発生した場合、以下をユーザが選択できる。
▲１▼ＢＭＰ生成し、ファイル名をxxxxxx. ERR に、EditStatus＝1 にする
(Ｐｈｏｔｏｓｈｏｐでユーザがマニュアル修正するため) 、もしくは、
▲２▼ＢＭＰを生成しないで、EditStatus＝0 にする。ファイル名は、ＸＸＸＸＸＸ．ＪＯＢのままである。
▲４▼生産性目標は、１４４秒／件である。
【００７８】
Ｆ５．プリント
（ｉ）合成画像のプリント（露光焼付）
▲１▼自動外部入力画面で、複数のプリント画像ファイルを選択し、自動プリントが可能である。
・ジョブファイルの一覧を表示する。
・出力対象を「ＤＩＲ内の全て」と「選択したものだけ (Clic、Shift ＋Clic、Ctrl＋Clicの選択方式のサポート) 」とで指定可能である。
・ジョブファイルの表示は、ロットＮｏ、件Ｎｏ、プリントサイズ、枚数、プリント画像ファイル名、カードタイプ、ネガ縦横指定、フィルムタイプ、画像方向の表示である。
・プリント開始とともに、上記出力対象のジョブがプリントされる。
・自動プリントの中止が可能である。
・プリント指示されたものは、プリントのキャンセルが可能 (従来のプリントキャンセル操作と同じ) である。
▲２▼画像ファイルIFは、以下の２ファイルで構成される。
・プリント画像は、ＢＭＰである。
・プリント情報を指定したプリントジョブファイル。
(注) 縁無し、縁有りに関らず、出力機１６へのプリントリクエストは、ジョブファイルの指定通りとする。画素数は、ＢＭＰヘッダで指定された画素数を転送する。
【００７９】
▲３▼張り合わせ、照合のための機能は、以下の通りである。
・ロット区切りカード (プリント年月日時分、ロットＮｏ、件Ｎｏ等を印字するもの) のプリント機能である。
・画像の向きと、葉書の向きを一致させる。
▲４▼裏印字自動オフ機能を持つ。
・ペーパが薄手でかつポストカード外部入力時は、強制的に裏印字をオフする機能を追加される。
▲５▼各ｎ枚でテストプリント可能である。なお、
・通常プリント作業画面でテストプリントを行う場合は、裏印字出力ができる。・裏印字のオン、オフは、入力機でコントロールする。
ペーパ交換補助機能は不要である。
【００８０】
▲６▼ステータスファイルの扱いは、以下の通りである。
プリント時
ａ．ファイル名が、xxxxxx.ERRのジョブは、表示対象外とする (プリントはできない) 。
ｂ．以下のようにジョブの処理を行う。
0003758803.tif 000003
ここで、＊１は以下のように扱う。
マニュアル操作で該当ジョブを選択して、プリントできる。
プリント完了後、PrintStatus ＝1 に変更する。
・オンライン時、ステータスファイルの排他制御は、当面行わない。
ＤＰ袋を回すことで、基本的には、アクセス競合は発生しない。
【００８１】
（ii）ロット区切りカードのプリント
▲１▼ロット区切りカードとは、以下の内容を印字したダミープリントである。
▲２▼ロット区切りカードをプリントするかどうかの選択を操作画面で設定可能である。
▲３▼ロット区切りカードのプリント機能がオンになっている場合は、プリント指示された複数件の最初の件のプリントの先頭に、以下のロット区切りカードをプリントする。
ロットカードは、
0003758803.tif 000004
【００８２】
Ｆ６．ペーパ現像
（ｉ）ペーパを現像する
▲１▼ペーパをロールのまま現像する。
このとき、当然、巻きは逆になる。ペーパ現像機も最大扱い長を持っている。
（ii）ロール検査
▲２▼現像後のロールを検査する。
Ｆ７．貼り付け
（ｉ）はがきの貼り付け
▲１▼貼り付け機の種類
・ＦＰＸ−４０００（両面テープタイプ) （ネクサス社製）
・ＦＰＣ−５０００ＩＩ（水糊タイプ）（ネクサス社製）
Ｆ８．照合
（ｉ）ポストカードを注文書と照合する。枚数を検査する。
【００８３】
【表１】
0003758803.tif 000005
【００８４】
【表２】
0003758803.tif 000006
【００８５】
表２注）
（注１）デジタルラボシステム  フロンティア（富士写真フイルム社製）には画像周辺に白縁を付ける機能がある。利用は自由である。縁指定が無く、画像がプリント幅に満たない場合は、長辺方向を合わせ、中央に配置する。画像がプリント幅を越える場合は、中央基準で幅方向をクリップする。送り方向は、何れの場合も全画像が出力される。
（注２）UpperOfPrintImage は、ペーパに露光するときの向きを決定するため、ラボ毎に変更する可能性がある。パラメータファイルに値を持ち、ラボ毎に変更可能にしている。
（注３）ジョブファイルPrint セクションのPrintSizeHとV は、ペーパに対して、どう露光するかの指定なので、ポストカードの場合、１０２幅ペーパでは、以下の場合のみである。
PrintSizeH＝102.0;
PrintSizeV＝146.0;
画像データと天方向の指定は、上記とは、全く独立したものである。添付されたＢＭＰ画像に、対してその天方向が合っていればよい。上記フロンティアは、幅１０２送り１４６の露光を行うが、「ポストカードシステム仕様書」（富士写真フイルム社製）の仕様に従い、画像を回転し、所定の天方向になるように出力機に送り露光する。
【００８６】
【表３】
0003758803.tif 000007
【００８７】
表３注）
（付）クローズアップ時の仕様
光学ズーム最大時のネガ面上の読み取り領域は間口マスク比で18.8×12.9までしかない。
１３５の場合
ネガ面上    スキャンサイズ（倍率）  光学ズーム（○は光学ズーム可能範囲。＊は範囲外）
半面タイプ
23.7×18.3  102×70（430%)         ○日付外しのクローズアップのみもある。
２４０の場合
クローズアップサービスなし
クローズアップ指定は注文記号が別（Ｃが付く）なので、それ専用のテンプレートを持ち、そこに予めスキャン画像サイズとPrintMagを指定しておく。
PrintMagは、下記のように表される。
テンプレート上のスキャンサイズ（長手方向）÷クローズアップＮｏ．のネガ長×１００
ジョブ登録時に、上記テンプレート情報より、ＳＣＡＮセクションのScaanImageH, ScanImageV, PrintMag を生成する。
【００８８】
【表４】
0003758803.tif 000008
【００８９】
【表５】
0003758803.tif 000009
【００９０】
【表６】
0003758803.tif 000010
【００９１】
【表７】
0003758803.tif 000011
【００９２】
表５注）
補  足：
▲１▼  TemplateImageFile1〜TemplateImageFile1VPosはNoOfTemplateImage 分設定される。その時は、TemplateImageFile2〜TemplateImageFile2VPos、TemplateImageFile3〜TemplateImageFile3VPos…となる。
▲２▼  ONIMAGEnセクションは、実際NoOfOnlmage 分あり、ONIMAGE1、ONIMAGE2…となる。
▲３▼  SCANn セクションは、実際NoOfScanImage 分あり、SCAN1 、SCAN2 …となる。
▲４▼  CHARn セクションは、実際NoOfChanrImage分あり、CHAR1 、CHAR2 …となる。
▲５▼  ONIMAGE の画像値255 は透明を意味し、合成時は背景を採用する。
▲６▼  縁指定（Border) を行わない場合はBorderHL、BorderHR、BorderVU、BorderVBの４項目は省略する。
【００９３】
なお、ここで用いられる顧客画像は、ネガティブフィルムまたはリバーサルフィルムなどのフィルム原稿の画像であってもよいし、反射原稿の画像であってもよい。従って、このデジタルプリントシステム１０においては、それぞれの原稿に応じてスキャナ１２もフィルム原稿を読み取るスキャナであっても、反射原稿を読み取るスキャナであってもよいが、両方のスキャナを備えておくのが好ましい。また、ここで用いられる定型画像は、文字、ロゴマーク、イラストなどの文字等線画像であれば何でもよく、文字も黒文字でも白抜き文字でも袋文字でも、アンチエリアス文字でも非アンチエリアス文字でもどの様な文字でもよい。
【００９４】
以上、本発明の文字と画像の合成方法について詳細に説明したが、本発明は上記実施例に限定はされず、例えば、顧客の住所・氏名・自由文などの文字データはすでにＦＤなどの記憶媒体に格納された文字データを用いてもよいし、顧客原稿画像や顧客原稿の読み取り画像は、すでに原稿から読み取られて、またはコンピュータなどで生成されて、ＦＤ，ＨＤ，ＭＯなどの画像記録媒体に格納された画像データを用いてもよいなど、本発明の要旨を逸脱しない範囲において、種々の改良および変更を行ってもよいのはもちろんである。
【００９５】
【発明の効果】
以上詳述したように、本発明によれば、文字画像と背景画像と読み取り画像との合成に際し、各画像の指定された天方向の向きが一致するように、各画像が自動的に回転後、合成されるので、常に全画像が互いに正像となるように合成された合成プリント画像を得ることができる。
また、本発明によれば、上記効果に加え、さらに、合成プリント画像の天方向の向きを貼り付けるはがきなどの台紙の天方向の向きに合わせて指定して、合成プリント画像を出力できるので、合成プリント画像の天地を目視して確認することなくどのような台紙にも、例えば、日本の縦型のはがきであっても、外国の横型のはがきなどであっても、予め設定するだけで自動的な貼り付け処理を行うことができる。
【図面の簡単な説明】
【図１】  本発明に係る文字と画像の合成プリント方法を実施するデジタルプリントシステムの一実施例のブロック図である。
【図２】  図１に示すデジタルプリントシステムの制御装置の一実施例のブロック図である。
【図３】  図１に示すデジタルプリントシステムの画像出力装置の一実施例の概略断面図である。
【図４】  本発明の文字と画像の合成プリント方法を適用するポストカードシステムの一実施例のフローチャートである。
【図５】  本発明法において行われる画像合成工程の一実施例の流れ（フロー）を示す説明図である。
【図６】  図５に示す画像合成工程における文字生成から文字画像合成までの文字加工処理の一実施例の流れ（フロー）を示す説明図である。
【図７】  図５に示す画像合成工程における文字生成から文字画像合成までの文字加工処理の別の実施例の流れ（フロー）を示す説明図である。
【図８】  （ａ）および（ｂ）は、それぞれ図６および図７に示される文字加工処理の各変換工程の変換関数の一例を示すグラフである。
【符号の説明】
１０  デジタルプリントシステム
１２  画像入力装置
１４  制御装置
１５  画像処理部
１６  画像出力装置
１８  画像表示装置（ディスプレイモニタ）
２０  外部記憶装置
２２  データ入力装置
２２ａ  キーボード
２２ｂ  マウス
２４  貼付機
４０  ＣＰＵ
４２  メモリ
４４  画像前処理部
４６，４６ａ，４６ｂ  フレームメモリ
４８  画像加工処理部
５０  合成処理部
５２  文字画像データ生成部
５４  背景画像（テンプレート画像）メモリ
Ａｍｄ  特定領域
Ａｍｔ  画像領域（画像窓）
Ａｍｗ  非画像領域
Ｉｔｐ  台紙画像（背景画像、テンプレート画像）
Ｉｔｐｃ  組込定型画像
Ｉｍ  マスク画像
Ｉｓ  スキャン（顧客）画像
Ｉｉ  中間合成画像
Ｍｃ  文字画像
Ｐ  プリント画像
ＣＲＤ  葉書（台紙）
ＰＣ  ポストカード
【図１】
0003758803.tif 000012
【図２】
0003758803.tif 000013
【図３】
0003758803.tif 000014
【図４】
0003758803.tif 000015
【図５】
0003758803.tif 000016
【図６】
0003758803.tif 000017
【図７】
0003758803.tif 000018
【図８】
0003758803.tif 000019